(57)【要約】【課題】長期間に渡って光触媒による脱臭、抗菌作用が発揮できる空気調和機を提供する。【解決手段】熱交換器と１１、室内の空気を前記熱交換器１１に流入させて熱交換をさせた後に室内に送出する送風機１２と、光触媒が施されかつ前記熱交換器１１の上流側に配された光触媒フィルター１５と、前記光触媒フィルター１５に付着した塵埃等を吸引する吸引手段１６とを備えたもので、運転時間が長くなっても光触媒フィルター１５に付着した塵埃が除去されて光触媒にふれる空気量が多くなるだけでなく、光触媒の本体外からの紫外線の受光面積拡大による脱臭や抗菌などの光触媒作用で本体設置空間の快適性が向上する。また、光触媒の作用である脱臭、防汚、及び抗菌効果が長期に渡って維持できる。【選択図】図１ 
2005351536.tif 000002
【特許請求の範囲】
【請求項１】
熱交換器と、室内の空気を前記熱交換器に流入させて熱交換をさせた後に室内に送出する送風機と、光触媒が施されかつ前記熱交換器の上流側に配された光触媒フィルターと、前記光触媒フィルターに付着した塵埃等を吸引する吸引手段とを備えた空気調和機。
【請求項２】
光触媒フィルターに紫外線を照射する紫外線光発生手段を備えたことを特徴とする請求項１に記載の空気調和機。
【請求項３】
紫外線光発生手段としてＬＥＤを用いたことを特徴とする請求項２に記載の空気調和機。
【請求項４】
紫外線光発生手段として蛍光灯を用いたことを特徴とする請求項２に記載の空気調和機。
【請求項５】
紫外線光発生手段で発生する紫外線を集光する集光手段を備えたことを特徴とする請求項２〜４のいずれか１項に記載の空気調和機。
【請求項６】
紫外線光発生手段で発生する紫外線が光触媒フィルター以外の部品に照射されるのを防止する紫外線カバーを備えたことを特徴とする請求項２〜５のいずれか１項に記載の空気調和機。
【請求項７】
吸引手段と紫外線光発生手段の少なくとも一方を光触媒フィルターに沿って移動させる移動手段を備えたことを特徴とする請求項２〜６のいずれか１項に記載の空気調和機。
【請求項８】
移動手段の移動を案内するガイドを、光触媒フィルターに設けたことを特徴とする請求項７に記載の空気調和機。
【請求項９】
光触媒フィルターを移動させる光触媒フィルター可動装置を備えたことを特徴とする請求項１〜６のいずれか１項に記載の空気調和機。
【請求項１０】
吸引手段によって光触媒フィルターを清掃してからの本体の運転時間を積算する積算手段と、前記積算手段で積算された時間が一定以上になれば、前記吸引手段を動作させる、もしくは前記吸引手段の運転動作を促すように本体又はそれを遠隔操作するリモコンに表示する機器演算手段を備えたことを特徴とする請求項１〜９のいずれか１項に記載の空気調和機。
【請求項１１】
吸引手段、紫外線光発生手段、移動手段、光触媒フィルター可動装置のいずれか１つ以上の運転日・時を記録できる記録手段を備えたことを特徴とする請求項１〜１０のいずれか１項に記載の空気調和機。
【請求項１２】
送風機の回転数を検知する回転数検知手段を備え、前記回転数検知手段による検知結果に応じて、光触媒フィルターの目詰まり具合を把握するようにしたことを特徴とする請求項１〜１１のいずれか１項に記載の空気調和機。
【発明の詳細な説明】
【技術分野】
【０００１】
本発明は、光触媒作用による脱臭、防汚、及び抗菌などの機能を有する空気調和機に関するものである。
【背景技術】
【０００２】
光触媒を用いて脱臭、防汚、及び抗菌などの機能を有する従来の空気調和機について図１１を用いて説明する。
【０００３】
同図に示すように、従来の空気調和機は、シャーシ１０と、シャーシ１０に固定された熱交換器１１と、送風機１２と、熱交換器１１で凝縮した凝縮水を貯留するドレンパン１３と、化粧パネル１４から構成され、熱交換器１１と化粧パネル１４との間に、光触媒が施ほどこされた光触媒フィルター１５が配置されている（例えば、特許文献１参照）。
【特許文献１】特開平１０−２２７４６９号公報
【発明の開示】
【発明が解決しようとする課題】
【０００４】
しかしながら、前記従来の空気調和機の構成では、光触媒を施した光触媒フィルター１５に埃などが付着した場合、紫外線が光触媒に当たる量が減少し、光触媒がもつ脱臭や抗菌などの光触媒作用が十分発揮できないという課題を有していた。
【０００５】
本発明は、前記従来の課題を解決するもので、長期間に渡って光触媒の効果を高いレベルで持続できる空気調和機を提供することを目的とする。
【課題を解決するための手段】
【０００６】
前記従来の課題を解決するために、本発明の空気調和機は、熱交換器と、室内の空気を前記熱交換器に流入させて熱交換をさせた後に室内に送出する送風機と、光触媒が施されかつ前記熱交換器の上流側に配された光触媒フィルターと、前記光触媒フィルターに付着した塵埃等を吸引する吸引手段とを備えたもので、運転時間が長くなっても光触媒フィルターに付着した塵埃が除去され、光触媒にふれる空気量が多くなるだけでなく、光触媒の本体外からの紫外線の受光面積拡大による脱臭や抗菌などの光触媒作用で本体設置空間の快適性が向上される。また、光触媒フィルターの光触媒に当たる紫外線の量が減少するのを防止できるため、光触媒による脱臭、防汚、及び抗菌効果が維持できる。また、光触媒フィルターに堆積する塵埃が少ないので空気圧損が減り空気調和機の省エネルギー可が可能となる。
【発明の効果】
【０００７】
本発明の空気調和機は、光触媒に当たる紫外線の量が安定することから、光触媒がもつ脱臭や抗菌などの光触媒作用で空気調和機設置空間の快適性を高め、それを長期間に渡って維持する事ができる。
【発明を実施するための最良の形態】
【０００８】
第１の発明は、熱交換器と、室内の空気を前記熱交換器に流入させて熱交換をさせた後に室内に送出する送風機と、光触媒が施されかつ前記熱交換器の上流側に配された光触媒フィルターと、前記光触媒フィルターに付着した塵埃等を吸引する吸引手段とを備えたもので、運転時間が長くなっても光触媒フィルターに付着した塵埃が除去され、光触媒にふれる空気量が多くなるだけでなく、光触媒の本体外からの紫外線の受光面積拡大による脱臭や抗菌などの光触媒作用で本体設置空間の快適性が向上される。また、光触媒フィルタ
ーの光触媒に当たる紫外線の量が減少するのを防止できるため、光触媒による脱臭、防汚、及び抗菌効果が維持できる。また、光触媒フィルターに堆積する塵埃が少ないので空気圧損が減り空気調和機の省エネルギー可が可能となる。
【０００９】
第２の発明は、特に、第１の発明の光触媒フィルターに紫外線を照射する紫外線光発生手段を備えたもので、空気調和機の設置場所にかかわらず紫外線量が十分確保できることから、脱臭、防汚、抗菌などの光触媒作用の効果が設置環境に左右されず発揮され、空気調和機の設置空間の快適性向上が可能となる。
【００１０】
第３の発明は、特に、第２の発明の紫外線光発生手段としてＬＥＤを用いたもので、紫外線光発生手段の寿命が延びることにより、長期使用に対しての信頼性が大幅に向上する。
【００１１】
第４の発明は、特に、第２の発明の紫外線光発生手段として蛍光灯を用いたもので、紫外線光発生手段の寿命が伸びると共に安価に構成でき、さらに、光触媒フィルター以外の部品を選択する際に紫外線による劣化を考慮しなくても済むために、部品選択範囲が広がるだけでなく、製品全体の材料費を低く押さえることがが可能となる。
【００１２】
第５の発明は、特に、第２〜４のいずれか１つの発明の紫外線光発生手段で発生する紫外線を集光する集光手段を備えたもので、紫外線光発生手段で発生する紫外線量を少なくできるために、紫外線光発生手段を安価に形成できるだけでなく、紫外線光発生手段で消費される電力量も低く抑られ、さらに、油などの頑固な汚れが光触媒フィルターに付着した場合にも対応できるため、製品設置場所の自由度を大幅に広げることができる。
【００１３】
第６の発明は、特に、第２〜５のいずれか１つの発明の紫外線光発生手段で発生する紫外線が光触媒フィルター以外の部品に照射されるのを防止する紫外線カバーを備えたもので、光触媒フィルター以外の部品を選択する際に紫外線による劣化を考慮しなくても済むために、部品選択範囲が広がるだけでなく、製品材料費低く押さえることができる。さらに、紫外線の量を増やすことができるため、光触媒の作用である脱臭、防汚、及び抗菌効果を短時間で得られることが可能となる。
【００１４】
第７の発明は、特に、第２〜６のいずれか１つの発明の吸引手段と紫外線光発生手段の少なくとも一方を光触媒フィルターに沿って移動させる移動手段を備えたもので、光触媒フィルターの細部まで吸引手段と紫外線光発生手段が移動できるため、吸引手段と紫外線光発生手段のパワーを小さくしても、単位面積当たりの粉塵除去量や紫外線照射量の低下がないために光触媒フィルターでの効果が得られるだけでなく、吸引手段と紫外線光発生手段での消費電力が削減され又、吸引手段と紫外線光発生手段を脱臭、防汚、及び抗菌効果を損なうこと無く安価に設計でき、さらには製品の小型化が可能となる。
【００１５】
第８の発明は、特に、第７の発明の移動手段の移動を案内するガイドを、光触媒フィルターに設けたもので、移動手段が移動する際に、ガイドにより方向性確保と脱落防止効果で、吸引手段や紫外線光発生手段とガイド付き光触媒フィルターとの間の距離をある程度一定にできるため、塵埃除去量と紫外線照射量が安定する。さらに、前記ガイド付き光触媒フィルター上のガイドに沿って前記移動手段が移動するため、吸引と紫外線照射がなされない場所が大幅に減少する。
【００１６】
第９の発明は、特に、第１〜６のいずれか１つの発明の光触媒フィルターを移動させる光触媒フィルター可動装置を備えたもので、吸引手段や紫外線光発生手段と光触媒フィルター間の距離をある程度一定にできるため、塵埃除去量と紫外線照射量が安定するだけでなく、紫外線光発生手段がある程度限られた位置で紫外線の照射が行われるため、紫外線
による劣化を考慮しなくても良い部品数が多くなることから、部品選択範囲が広がるだけでなく、製品材料費を低く押さえることができる。
【００１７】
第１０の発明は、特に、第１〜９のいずれか１つの発明の吸引手段によって光触媒フィルターを清掃してからの本体の運転時間を積算する積算手段と、前記積算手段で積算された時間が一定以上になれば、前記吸引手段を動作させる、もしくは前記吸引手段の運転動作を促すように本体又はそれを遠隔操作するリモコンに表示する機器演算手段を備えたもので、本体が一定時間以上運転した場合、吸引手段等を自動運転若しくは、ユーザーに光触媒フィルターに付着した埃などが堆積したことを知らせることができるため、光触媒フィルターの光触媒に当たる紫外線の量が減少するのを防止でき、光触媒の作用である脱臭、防汚、及び抗菌効果を維持できる。また、光触媒フィルターに堆積する塵埃が少ないため空気調和機の省エネルギーが可能となる。
【００１８】
第１１の発明は、特に、第１〜１０のいずれか１つの発明の吸引手段、紫外線光発生手段、移動手段、光触媒フィルター可動装置のいずれか１つ以上の運転日・時を記録できる記録手段を備えたもので、記録手段に予め記録された日時になると吸引手段もしくは紫外線光発生手段もしくは移動手段もしくは光触媒フィルター可動装置の運転が自動的に行われるために、空気調和機の設置環境による光触媒フィルターの目詰まり具合に差があっても、また、ユーザーが吸引手段、紫外線光発生手段、移動手段、光触媒フィルター可動装置の運転を忘れても、光触媒フィルターに塵埃が多く堆積することが無い。
【００１９】
第１２の発明は、特に、第１〜１１のいずれか１つの発明の送風機の回転数を検知する回転数検知手段を備え、前記回転数検知手段による検知結果に応じて、光触媒フィルターの目詰まり具合を把握するようにしたもので、たとえば、光触媒フィルターが目詰まりしていると判断したら、吸引手段、紫外線光発生手段、移動手段、光触媒フィルター可動装置を自動的に運転するようにすれば、ユーザーは光触媒フィルターの目詰まり具合を一切気にする必要が無く、非常に使用勝手の良い空気調和機を提供することができる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における空気調和機の概略断面図を示すものである。なお、上記従来例と同一部分については、同一符号を付してその説明を省略する。
【００２２】
図１において、空気調和機の本体１のシャーシ１０に熱交換器１１と、送風機１２と、熱交換器１１で凝縮した凝縮水を貯留するドレンパン１３と化粧パネル１４が固定され、シャーシ１０と化粧パネル１４間の空気の流入経路に光触媒が施ほどこされた光触媒フィルター１５と光触媒フィルター１５の上流側に光触媒フィルター１５に付着したほこり等を吸引する吸引手段１６が設けられている。
【００２３】
以上のように構成された空気調和機の室内機について、以下にその動作、作用を説明する。
【００２４】
まず、送風機１２を運転することで、流入した室内空気が、触媒フィルター１５を通過する際に室内空気中のほこり等の塵埃が捕集され、流入空気の脱臭が行なわれ、熱交換器１１で熱交換され、室内に冷媒のエネルギーを供給する。さらに、吸引手段１６は光触媒フィルー１５の表面に付着した塵埃を吸引除去する。
【００２５】
以上のように、本実施の形態によれば、光触媒フィルー１５の表面に付着した室内空気
中のほこり等の浮遊物を吸引手段１６によって除去できるために、長期使用においても光触媒フィルター１５の表面に当たる紫外線量の低下が防止でき、それにともなって室内空気の脱臭量の低下防止、光触媒フィルー１５の防汚と抗菌効果を長期に渡って維持することが可能となる。
【００２６】
（実施の形態２）
図２は、本発明の第２の実施の形態における空気調和機の概略断面図である。なお、上記第１の実施の形態と同一部分については、同一符号を付してその説明を省略する。
【００２７】
本実施の形態は、図２に示すように、光触媒フィルター１５に紫外線を照射する紫外線光発生手段２１を設けたもので、送風機１２を運転することで流入した室内空気は光触媒フィルター１５を通過する際に室内空気中の塵埃が捕集され、流入空気の脱臭をした後、熱交換器１１で熱交換し、室内に冷媒のエネルギーを供給する。さらに、吸引手段１６は光触媒フィルター１５の表面に付着した塵埃の除去を行い、紫外線光発生手段２１は光触媒フィルター１５に紫外線を照射する。
【００２８】
以上のように、本実施の形態によれば、光触媒フィルター１５の表面に付着した塵埃を吸引手段１６で除去し、紫外線光発生手段２１で紫外線を照射することによって安定した紫外線量が得られることで、空気調和機の設置場所に依存することなく室内空気の脱臭量と光触媒フィルター１５の防汚と抗菌効果を高いレベルで維持することが可能となるものである。
【００２９】
また、紫外線光発生手段２１として、ＬＥＤを用いれば、紫外線光発生手段の寿命が延びることにより、長期使用に対しての信頼性アップが図れるものである。
【００３０】
また、紫外線光発生手段２１として蛍光灯を用いるようにすれば、安定した紫外線量が得られ、空気調和機の設置場所に依存することなく室内空気の脱臭量と光触媒フィルター１５の防汚と抗菌効果を高いレベルで維持することが可能となるだけでなく、紫外線光発生手段の寿命が延びることにより、長期使用に対しての信頼性アップや紫外線光発生手段を安価にでき、その他の周辺部品を選択する際に紫外線による劣化を考慮しなくても済むことでの部品選択範囲が広がるだけでなく、製品全体の材料費を低く押さえることができる。
【００３１】
（実施の形態３）
図３は、本発明の第３の実施の形態における空気調和機の概略断面図を示すものである。なお、上記実施の形態と同一部分については、同一符号を付してその説明を省略する。
【００３２】
本実施の形態は、図３に示すように、紫外線光発生手段２１で発生する紫外線を集光する集光手段３１を配置し、紫外線光発生手段２１で発生させた紫外線を集光手段３１で集光し、それを光触媒フィルター１５に照射するようにしたものである。
【００３３】
以上のように、本実施の形態においては光触媒フィルター１５の表面に付着した塵埃を吸引手段１６で除去し、紫外線光発生手段２１で発生させた紫外線を集光手段３１で集光し、光触媒フィルター１５に照射することよって紫外線量が増加するため、紫外線光発生手段２１の紫外線発生容量を少なくすむことができ、紫外線光発生手段の寿命を延長し、消費電力も少なくすることができるものである。
【００３４】
（実施の形態４）
図４は、本発明の第４の実施の形態における空気調和機に概略断面図を示すものである。
【００３５】
本実施の形態は、図４に示すように、紫外線光発生手段２１で発生する紫外線が光触媒フィルター１５以外の部分に照射されるのを防止する紫外線カバー４１を配置したもので、紫外線が光触媒フィルター１５以外に照射されないために、光触媒フィルター１５以外の部品を選択する際に紫外線による劣化を考慮しなくても済むために、部品選択範囲が広がるだけでなく、製品材料費を低く押さえることができる。さらに、紫外線の量を増やせることで、室内空気の脱臭時間短縮が可能となる。
【００３６】
（実施の形態５）
図５は、本発明の第５の実施の形態における空気調和機の概略断面図を示すものである。なお、上記実施の形態と同一部分については、同一符号を付してその説明を省略する。
【００３７】
本実施の形態は、図５に示すように、吸引手段１６と紫外線光発生手段２１と集光手段３１を一体にして移動手段５１に設置したものである。
【００３８】
以上のように構成された空気調和機について、以下にその動作、作用を説明する。
【００３９】
まず、吸引手段１６と紫外線光発生手段２１と集光手段３１を設置した移動手段５１は化粧パネル１４内のガイド（図示せず）に沿って移動し、その際に光触媒フィルター１５の表面に付着した塵埃を吸引手段１６で除去しながら、紫外線光発生手段２１から出た紫外線を集光手段３１で集光し、それを触媒フィルター１５に照射する。
【００４０】
以上のように、本実施の形態においては光触媒フィルター１５の細部まで吸引手段１６と紫外線光発生手段２１が移動できるため、吸引手段１６と紫外線光発生手段２１のパワーを小さくしても、単位面積当たりの塵埃除去量や紫外線照射量の低下がないために光触媒フィルター１５での脱臭などの効果が得られるだけでなく、吸引手段１６と紫外線光発生手段２１での消費電力削減、吸引手段１６と紫外線光発生手段２１を安価に設計でき、さらには製品の小型化が可能となる
（実施の形態６）
図６は、本発明の第６の実施の形態における空気調和機の概略断面図を示すものである。なお、上記実施の形態と同一部分については、同一符号を付してその説明を省略する。
【００４１】
本実施の形態は、図６に示すように、移動手段５１が移動する際のガイドを、光触媒フィルターに一体に設け、ガイド付き光触媒フィルター１５ａを使用するようにしたものである。
【００４２】
以上のように構成された空気調和機について、以下にその動作、作用を説明する。
【００４３】
移動手段５１はガイド付き光触媒フィルター１５ａに設けられたガイドに沿ってフィルター上を移動し、その際に光触媒フィルター１５の表面に付着した塵埃を吸引手段１６で除去し、紫外線光発生手段２１で紫外線照射を行う。
【００４４】
以上のように、本実施の形態においては吸引手段１６と紫外線光発生手段２１が移動できるため、吸引手段１６と紫外線光発生手段２１のパワーを小さくしても、単位面積当たりの塵埃除去量や紫外線照射量の低下がないため、吸引手段１６と紫外線光発生手段２１での省エネルギー化はもちろんのこと、吸引手段１６や紫外線光発生手段２１とガイド付き光触媒フィルター１５ａとの間の距離をある程度一定にできるため、塵埃除去量と紫外線照射量が安定する。さらに、ガイド付き光触媒フィルター１５ａ上のガイドに沿って移動手段５１が移動するため、吸引と紫外線の照射を受けない場所が大幅に減少する。
【００４５】
（実施の形態７）
図７は、本発明の第７の実施の形態における空気調和機の概略断面図を示すものである。なお、上記実施の形態と同一部分については、同一符号を付してその説明を省略する。
【００４６】
上記第５、６の実施の形態では、吸引手段１６と紫外線光発生手段２１を移動させるようにしたが、本実施の形態は、図７に示すように、光触媒フィルター１５を移動させるようにしたものである。
【００４７】
図７において、６１は、回転する突起部（図示せず）を備えた光触媒フィルター可動装置である。光触媒フィルター１５はベルト状に形成されると共にその両端には、光触媒フィルター可動装置６１の突起部に連結されるスリットが設けられている。
【００４８】
以上のように構成された空気調和機について、以下にその動作、作用を説明する。
【００４９】
光触媒フィルター可動装置６１を駆動すると、その突起が回転し、連結された光触媒フィルター１５が吸引手段１６と紫外線光発生手段２１上で移動し、光触媒フィルター１５に付着した塵埃が吸引手段１６で除去され、紫外線光発生手段２１からの紫外線照射を受ける。
【００５０】
以上のように、本実施の形態においては光触媒フィルター１５が、吸引手段１６と紫外線光発生手段２１の設置位置まで移動するため、吸引手段１６と紫外線光発生手段２１のパワーを小さくしても、単位面積当たりの塵埃除去量や紫外線照射量の低下がないため、吸引手段１６と紫外線光発生手段２１での省エネルギー化はもちろんのこと、紫外線光発生手段２１がある程度限られた位置で紫外線の照射が行われるため、紫外線による劣化を考慮しなくても良い部品が多くなることから、部品選択範囲が広がるだけでなく、製品材料費を低く押さえることが可能となる
（実施の形態８）
図８は、本発明の第８の実施の形態における空気調和機の概略断面図を示すものである。なお、上記実施の形態と同一部分については、同一符号を付してその説明を省略する。
【００５１】
本実施の形態は、図８に示すように、本体１の運転時間、具体的には送風機１２の運転時間の積算を行なう積算手段７１と、積算手段７１で積算された時間に応じて、本体１の動作やユーザーが認知できる表示を行う機器演算手段７２を設けたものである。
【００５２】
以上のように構成された空気調和機の室内機について、以下にその動作、作用を説明する。
【００５３】
まず、積算手段７１は、吸引手段１６と紫外線光発生手段２１が動作した際に、時間がリセットされ、送風機１２の運転時間の積算を開始する。機器演算手段７２は積算手段７１の積算時間を検知し、積算時間が一定以上になれば、吸引手段１６や紫外線光発生手段２１や光触媒フィルター可動装置６１の運転を行なうか、もしくは吸引手段１６や紫外線光発生手段２１や光触媒フィルター可動装置６１の運転をユーザーに促すサインを空気調和機或いはそれを遠隔操作するリモコン（図示せず）に表示させるようにする。
【００５４】
以上のように、ユーザーに光触媒フィルター１５に塵埃が堆積したことを知らせることができるため、光触媒に当たる紫外線の量が減少するのを防止できるため、光触媒の作用である脱臭、防汚、及び抗菌効果を維持できる。また、光触媒フィルター１５に堆積する埃が少ないため空気調和機の省エネルギーが可能となる。
【００５５】
（実施の形態９）
図９は、本発明の第９の実施の形態における空気調和機の概略断面図を示すものである。なお、上記実施の形態と同一部分については、同一符号を付してその説明を省略する。
【００５６】
本実施の形態は、図９に示すように、吸引手段１６、紫外線光発生手段２１、光触媒フィルター可動装置６１のいずれか１つ以上の装置の運転を行う日時を予め記録しておく記録手段８１を設け、記録手段８１に記録された指定日時になると、機器演算手段７２で、吸引手段１６と紫外線光発生手段２１と光触媒フィルター可動装置６１の装置を動作させるようにしたものである。
【００５７】
以上のように、機器設置環境によって光触媒フィルター１５の目詰まり具合に差があったり、ユーザーが吸引手段１６の運転を忘れても、所定の日時になるとそれらが運転されるので、常時光触媒に当たる紫外線の量が減少するのを防止でき、光触媒の作用である脱臭、防汚、及び抗菌効果を維持できる。また、光触媒フィルター１５に堆積する埃が少ないので空気調和機の省エネルギーが可能となる。
【００５８】
（実施の形態１０）
図１０は、本発明の第１０の実施の形態における空気調和機の概略断面図を示すものである。なお、上記実施の形態と同一部分については、同一符号を付してその説明を省略する。
【００５９】
本実施の形態は、図１０に示すように、送風機１２の回転数を検知する回転数検知手段９１を設けたもので、以下にその動作、作用を説明する。
【００６０】
まず、演算手段７２には光触媒フィルター１５の目詰まりがない状態で、規定の出力で回転する送風機１２の回転数が記録されているだけでなく、光触媒フィルター１５の目詰まり検知回転数が記録されている。任意時間ごとに規定出力で送風機１２を回転させ回転数検知手段９１でその値を読み取り、その値を演算手段７２に送信する。送信された値が演算手段７２内に記録されている値以上となれば、光触媒フィルター１５が目詰まりしていると判断し、吸引手段１６と紫外線光発生手段２１と光触媒フィルター可動装置６１の装置の運転を行う。
【００６１】
以上のように常時光触媒に当たる紫外線の量が減少するのを防止でき、光触媒の作用である脱臭、防汚、及び抗菌効果の維持や、光触媒フィルター１５に堆積する埃が少ないので空気調和機の省エネルギーが可能となるだけでなく、必要なとき以外に吸引手段１６と紫外線光発生手段２１と光触媒フィルター可動装置６１の運転時間減少による消費電力削減ができる。
【産業上の利用可能性】
【００６２】
以上のように、本発明にかかる空気調和機は、光触媒フィルターの効果を常時高いレベルに維持できるため、空気清浄機等の用途にも適用できる。
【図面の簡単な説明】
【００６３】
【図１】本発明の実施の形態１における空気調和機の概略断面図
【図２】本発明の実施の形態２における空気調和機の概略断面図
【図３】本発明の実施の形態３における空気調和機の概略断面図
【図４】本発明の実施の形態４における空気調和機の概略断面図
【図５】本発明の実施の形態５における空気調和機の概略断面図
【図６】本発明の実施の形態６における空気調和機の概略断面図
【図７】本発明の実施の形態７における空気調和機の概略断面図
【図８】本発明の実施の形態８における空気調和機の概略断面図
【図９】本発明の実施の形態９における空気調和機の概略断面図
【図１０】本発明の実施の形態１０における空気調和機の概略断面図
【図１１】従来の空気調和機の略断面図
【符号の説明】
【００６４】
１１    熱交換器
１２    送風機
１５    光触媒フィルター
１５ａ  ガイド付き光触媒フィルター
１６    吸引手段
２１    紫外線光発生手段
３１    集光手段
４１    紫外線カバー
５１    移動手段
６１    光触媒フィルター可動装置
７１    積算手段
７２    機器演算手段
８１    記録手段
９１    回転数検知手段
【図１】
2005351536.tif 000003
【図２】
2005351536.tif 000004
【図３】
2005351536.tif 000005
【図４】
2005351536.tif 000006
【図５】
2005351536.tif 000007
【図６】
2005351536.tif 000008
【図７】
2005351536.tif 000009
【図８】
2005351536.tif 000010
【図９】
2005351536.tif 000011
【図１０】
2005351536.tif 000012
【図１１】
2005351536.tif 000013